(57)【要約】【課題】  組み付けた履物が外れ出すことがないディスプレイ用ハンガーを提供する。【解決手段】上部に引っ掛け部１１を有するハンガー本体部１０と、このハンガー本体部１０の下部両側から上方に向けて突設されているガイド材部２０とを備えたディスプレイ用ハンガーＡであって、前記ハンガー本体部１０には、履き込み口Ｂｃから前記ガイド材部２０を受け入れるようにして該ディスプレイ用ハンガーＡに支承される一組の履物Ｂを相互に連結するプラスチック製連結ピンＣが、当該ディスプレイ用ハンガーＡから抜け出す向きに向けた履物Ｂの移動または相対的な移動に際して引っかり得る受け部３０を設けてある。【選択図】図３
2006122421.tif 000002
【特許請求の範囲】
【請求項１】
上部に引っ掛け部を有するハンガー本体部と、
このハンガー本体部の下部両側から上方に向けて突設されているガイド材部とを備えたディスプレイ用ハンガーであって、
前記ハンガー本体部には、履き込み口から前記ガイド材部を受け入れるようにして該ディスプレイ用ハンガーに支承される一組の履物を相互に連結するプラスチック製連結ピンが、当該ディスプレイ用ハンガーから抜け出す向きに向けた履物の移動または相対的な移動に際して引っかり得る受け部を設けてあることを特徴とするディスプレイ用ハンガー。
【請求項２】
前記受け部が、前記ハンガー本体部から突設される一対のかつ先端側で互いに近接または接触される弾性片により構成される前記プラスチック製連結ピンの通る空間を備えていることを特徴とする請求項１に記載のディスプレイ用ハンガー。
【請求項３】
前記受け部が、前記ハンガー本体部の二ヶ所間にわたるように該ハンガー本体部に備えられる環状部構成片により構成される前記プラスチック製連結ピンの通る空間を備えていることを特徴とする請求項１に記載のディスプレイ用ハンガー。
【請求項４】
前記受け部が、前記ハンガー本体部に備えられる環状部により構成される前記プラスチック製連結ピンの通る空間を備えていることを特徴とする請求項１に記載のディスプレイ用ハンガー。
【発明の詳細な説明】
【技術分野】
【０００１】
この発明は、スリッパやサンダル等の履物に前もってディスプレイ用ハンガーを組み付けて店頭における陳列を容易にするディスプレイ用ハンガーであって、当該履物とディスプレイ用ハンガーとの組み付け状態を確実に維持し得るようにしたディスプレイ用ハンガーの提供に関する。
【背景技術】
【０００２】
スリッパやサンダル等の履物の販売店に向けた出荷に際して当該履物にディスプレイ用ハンガーをセットした状態で出荷することが試みられている。
【０００３】
このような履物にディスプレイ用ハンガーをセットしてなされる出荷は、販売店における履物の陳列を円滑かつ短時間になし得る利点を販売者にもたらすとともに販売店に当該組み付けのための作業スペースを設ける不具合をもたらさない特長を有している。
【０００４】
しかしながら、履物にセットされるディスプレイ用ハンガーは、当該履物における履き込み口からディスプレイ用ハンガーを構成する当該履物の支持部材を差し入れただけの状態で出荷されており、この支持部材の嵌め入れられた履物が当該支持部材から抜け出してディスプレイ用ハンガーと分離した状態になりやすく、店頭における履物の陳列における円滑性を阻害する場合があった。
【発明の開示】
【発明が解決しようとする課題】
【０００５】
この発明が解決しようとする主たる問題点は、販売店における履物の陳列におけるディスプレイ用ハンガーに対するセットや、セットの崩れた当該ディスプレイ用ハンガーを履物に対して適切に再セットする等の不具合をなくし、手際よく短時間で、かつ整然と履物を陳列し得るディスプレイ用ハンガーを提供する。
【課題を解決するための手段】
【０００６】
前記目的を解決するために、この発明は、上部に引っ掛け部を有するハンガー本体部と、このハンガー本体部の下部両側から上方に向けて突設されているガイド材部とを備えたディスプレイ用ハンガーであって、
前記ハンガー本体部には、履き込み口から前記ガイド材部を受け入れるようにして該ディスプレイ用ハンガーに支承される一組の履物を相互に連結するプラスチック製連結ピンが、当該ディスプレイ用ハンガーから抜け出す向きに向けた履物の移動または相対的な移動に際して引っかり得る受け部を設けてあることを特徴とするディスプレイ用ハンガーとしてある。
【０００７】
このように構成されるディスプレイ用ハンガーにあっては、当該ディスプレイ用ハンガーにセットされた履物は、このディスプレイ用ハンガーにおけるガイド材部から抜け出す向きに向けて移動または相対的に移動した際に、この左右対をなす履物を連結しているプラスチック製連結ピンが受け部に引っかかり、当該ガイド材部から抜け出すことがなく、履物とディスプレイ用ハンガーとはセットされた状態に効果的に維持される。
【０００８】
ついで、前記構成に係るディスプレイ用ハンガーにおいて、前記受け部が、前記ハンガー本体部から突設される一対のかつ先端側で互いに近接または接触される弾性片により構成される前記プラスチック製連結ピンの通る空間を備えていることを特徴とするディスプレイ用ハンガーにあっては、前記特長に併せて、前記弾性片間から前記プラスチック製連結ピンを前記受け部を構成する空間内に外方から入れ込み得ることから、前もって左右対をなすようにプラスチック製連結ピンによって連結してある履物に当該ディスプレイ用ハンガーを容易にセットすることができる。
【０００９】
また、前記構成に係るディスプレイ用ハンガーにおいて、前記受け部が、前記ハンガー本体部の二ヶ所間にわたるように該ハンガー本体部に備えられる環状部構成片により構成される前記プラスチック製連結ピンの通る空間を備えていることを特徴とするディスプレイ用ハンガーにあっては、前記発明における特長に併せて、前記空間にプラスチック製連結ピンを通した態様に当該履物に備え付けられたディスプレイ用ハンガーは、当該履物に対するセット状態が確実に維持される。
【００１０】
また、前記構成に係るディスプレイ用ハンガーにおいて、前記受け部が、前記ハンガー本体部に備えられる環状部により構成される前記プラスチック製連結ピンの通る空間を備えていることを特徴とするディスプレイ用ハンガーにあっては、前記発明における特長に併せて、前記空間にプラスチック製連結ピンを通した態様に当該履物に備え付けられたディスプレイ用ハンガーは、当該履物に対するセット状態をより確実に維持される。
【発明の効果】
【００１１】
この発明にかかるディスプレイ用ハンガーによれば、出荷時に左右対をなす履物にセットしたディスプレイ用ハンガーは当該セット状態を効果的に維持して販売店において円滑かつ容易に陳列をすることができ、販売店において格別の作業スペースを必要とすることなく整然と履物の陳列をなすことができる。
【発明を実施するための最良の形態】
【００１２】
以下、この発明を実施するための最良の形態に係るディスプレイ用ハンガーＡについて説明する。
【００１３】
ここで図１〜図２３は、当該発明を実施するための最良の形態にかかる各ディスプレイ用ハンガーＡを示している。
【００１４】
ここで図１〜図７は当該発明を実施するための最良の形態に係るディスプレイ用ハンガーＡの一実施例を示しており、図１は当該ディスプレイ用ハンガーＡを正面側の斜め上方から見て示しており、図２は、これを背面側の斜め上方から見て示している。図３は、このディスプレイ用ハンガーＡに履物Ｂを組み付けて陳列している状態を正面側から一部を破断して、また図４では当該状態を背面側から一部を破断して、図５では当該状態を要部を断面して側面から見て示している。また、図６は履物Ｂを仮想線で示した状態でディスプレイ用ハンガーＡを上方から見て、図７は履物Ｂを仮想線で示した状態で当該ディスプレイ用ハンガーＡを下方から見て示している。
【００１５】
ついで図８〜図１１は当該発明を実施するための最良の形態に係るディスプレイ用ハンガーＡの他の一実施例を示しており、図８は当該ディスプレイ用ハンガーＡを正面側の斜め上方から見て、図９は、これを背面側の斜め上方から見て示しており、図１０は、このディスプレイ用ハンガーＡに履物Ｂを組み付けて陳列している状態を正面側から一部を破断して、図１１は、当該状態を要部を断面して側面から見て示している。
【００１６】
ついで図１２〜図１５は当該発明を実施するための最良の形態に係るディスプレイ用ハンガーＡの更に他の一実施例を示しており、図１２は当該ディスプレイ用ハンガーＡを正面側の斜め上方から見て、図１３は、これを背面側の斜め上方から見て示しており、図１４は、このディスプレイ用ハンガーＡに履物Ｂを組み付けて陳列している状態を背面側から一部を破断して、図１５は、当該状態を要部を断面して側面から見て示している。
【００１７】
ついで図１６〜図１９は当該発明を実施するための最良の形態に係るディスプレイ用ハンガーＡの更に他の一実施例を示しており、図１６は当該ディスプレイ用ハンガーＡを正面側の斜め上方から見て、図１７は、これを背面側の斜め上方から見て示しており、図１８は、このディスプレイ用ハンガーＡに履物Ｂを組み付けて陳列している状態を正面側から一部を破断して、図１９は、当該状態を要部を断面して側面から見て示している。
【００１８】
ついで図２０〜図２３は当該発明を実施するための最良の形態に係るディスプレイ用ハンガーＡの更に他の一実施例を示しており、図２０は当該ディスプレイ用ハンガーＡを正面側の斜め上方から見て、図２１は、これを背面側の斜め上方から見て示しており、図２２は、このディスプレイ用ハンガーＡに履物Ｂを組み付けて陳列している状態を正面側から一部を破断して、図２３は、当該状態を要部を断面して側面から見て示している。
【００１９】
この発明を実施するための最良の形態に係るディスプレイ用ハンガーＡは、上部に引っ掛け部１１を有するハンガー本体部１０と、このハンガー本体部１０の下部両側から上方に向けて突設されているガイド材部２０とを備えたディスプレイ用ハンガーＡであって、
前記ハンガー本体部１０には、履き込み口Ｂｃから前記ガイド材部２０を受け入れるようにして該ディスプレイ用ハンガーＡに支承される一組の履物Ｂを相互に連結するプラスチック製連結ピンＣが、当該ディスプレイ用ハンガーＡから抜け出す向きに向けた履物Ｂの移動または相対的な移動に際して引っかり得る受け部３０を設けてあることを特徴とするディスプレイ用ハンガーＡとしてある。
【００２０】
ここで構成されるディスプレイ用ハンガーＡは、前記構成を備えたものであれば、いかなる形態に構成してあっても、また、いかなる素材によって構成してあってもよく、例えば、各種の合成樹脂を用いたプラスチック成形によって構成することができる。例えば、上部側を湾曲した引っ掛け部１１とするロッド状部の下部側にベース部１３を備えたハンガー本体部１０と、このベース部１３の両側から上方に向けて突設される細板状のガイド材部２０とを射出成形によって一体に備えたプラスチック製のものとするなど適宜の構成を備えたものとして構成提供することができる。
【００２１】
なお、ハンガー本体部１０の下部両側から上方に向けて突設されているガイド材部２０は、履き込み口Ｂｃから当該ガイド材部２０を受け入れるようにして当該ディスプレイ用ハンガーＡにセットした履物Ｂが当該ディスプレイ用ハンガーＡによって確実に支承され得る形態を備えたものであれば、いかなる形態のものであってもよい。
【００２２】
また、前記プラスチック製連結ピンＣは、対をなして用いられる履物Ｂを連結状態にして取り扱える態様に当該履物Ｂ相互を連結するものであれば、いかなる形態のものであってもよい。
【００２３】
かかるプラスチック製連結ピンＣは、対をなして販売される履物Ｂ相互を連結状態に維持するために用いられる各種の市販されているプラスチック製連結ピンＣを用いることができる。
【００２４】
かかるプラスチック製連結ピンＣは、例えば、ナイロンやポリプロピレン等の合成樹脂を用いてプラスチック成形によって提供される各種の連結ピン、例えば、可撓性を備えた線状部分の両端に当該線状部分に対して直交するようにロッド状部を一体に備えた連結ピンや、可撓性を備えた線状部分の一端側に板状部や塊状部を備えるとともに他方端部に当該線状部分に直交するロッド状部を備えたものなど、いかなる形態からなるものであってもよい。
【００２５】
また、前記ハンガー本体部１０に備えられる受け部３０は、前記ディスプレイ用ハンガーＡにセットされている履物Ｂが当該ディスプレイ用ハンガーＡから抜け出す向きに向けて移動または相対的に移動された際に、当該履物Ｂを連結しているプラスチック製連結ピンＣが引っかかり得る態様に備えられておれば、いかなる形態のものとして構成してあってもよく、例えば、当該受け部３０をハンガー本体部１０に備えられている湾曲状部や屈曲状部によって構成したり、当該ハンガー本体部１０に備えられている環状部によって構成したり、当該ハンガー本体部１０に備えられている一対の弾性片の先端を互いに近接または接触させて構成するなど、いかなる形態のものとして構成してあってもよい。
【００２６】
かかるディスプレイ用ハンガーＡを用いて陳列される履物Ｂは、前記ガイド材部２０を差し入れ得る形態のものであれば、いかなる履物Ｂであってもよく、例えば、履き込み用の甲被を備えているスリッパやサンダル等の各種の履物Ｂに対して当該ディスプレイ用ハンガーＡを陳列手段として用いることができる。
【００２７】
このように構成されるディスプレイ用ハンガーＡにあっては、当該ディスプレイ用ハンガーＡに爪先側を上にしてセットされた履物Ｂは、このディスプレイ用ハンガーＡにおけるガイド材部２０から抜け出す向きに向けて移動または相対的に移動した際に、この左右対をなす履物Ｂを連結しているプラスチック製連結ピンＣが受け部３０に引っかかり、当該ガイド材部２０から抜け出すことがなく、履物Ｂとディスプレイ用ハンガーＡとはセットされた状態に効果的に維持され、引っ掛け手段Ｄに引っ掛け部１１を引っ掛け状態にして陳列することができる。
【００２８】
ついで、前記構成に係るディスプレイ用ハンガーＡにおいて、前記受け部３０が、前記ハンガー本体部１０から突設される一対のかつ先端側で互いに近接または接触される弾性片４０により構成される前記プラスチック製連結ピンＣの通る空間３１を備えていることを特徴とするディスプレイ用ハンガーＡにあっては、前記特長に併せて、前記弾性片４０間から前記プラスチック製連結ピンＣを前記受け部３０を構成する空間３１内に外方から入れ込み得ることから、前もって左右対をなすようにプラスチック製連結ピンＣによって連結してある履物Ｂに当該ディスプレイ用ハンガーＡを容易にセットすることができる。
【００２９】
また、前記構成に係るディスプレイ用ハンガーＡにおいて、前記受け部３０が、前記ハンガー本体部１０の二ヶ所間にわたるように該ハンガー本体部１０に備えられる環状部構成片５０により構成される前記プラスチック製連結ピンＣの通る空間３１を備えていることを特徴とするディスプレイ用ハンガーＡにあっては、前記特長に併せて、前記空間３１にプラスチック製連結ピンＣを通した態様に当該履物Ｂに備え付けられたディスプレイ用ハンガーＡは、当該履物Ｂに対するセット状態が確実に維持される。
【００３０】
また、前記構成に係るディスプレイ用ハンガーＡにおいて、前記受け部３０が、前記ハンガー本体部１０に備えられる環状部１４により構成される前記プラスチック製連結ピンＣの通る空間３１を備えていることを特徴とするディスプレイ用ハンガーＡにあっては、前記特長に併せて、前記空間３１にプラスチック製連結ピンＣを通した態様に当該履物Ｂに備え付けられたディスプレイ用ハンガーＡは、当該履物Ｂに対するセット状態をより確実に維持される。
【００３１】
（実施例１）
まず、図１〜図７に示される当該発明を実施するための最良の形態に係るディスプレイ用ハンガーＡについて説明する。
この図１〜図７に示されるディスプレイ用ハンガーＡは、上部に引っ掛け部１１を有するハンガー本体部１０と、このハンガー本体部１０の下部両側から上方に向けて突設されているガイド材部２０とを備えたディスプレイ用ハンガーＡであって、
前記ハンガー本体部１０には、履き込み口Ｂｃから前記ガイド材部２０を受け入れるようにして該ディスプレイ用ハンガーＡに支承される一組の履物Ｂを相互に連結するプラスチック製連結ピンＣが、当該ディスプレイ用ハンガーＡから抜け出す向きに向けた履物Ｂの移動または相対的な移動に際して引っかり得る受け部３０を設けてあることを特徴とするディスプレイ用ハンガーＡとしてある。
【００３２】
この実施例に係るディスプレイ用ハンガーＡは、その全体を一体に成形されたプラスチック製としてあり、このディスプレイ用ハンガーＡ自体をディスプレイに適応し得る意匠性、色彩性を備えたものとしてある。
【００３３】
かかるディスプレイ用ハンガーＡにおけるハンガー本体部１０は上部側に引っ掛け手段Ｄに対して引っ掛け用い得る引っ掛け部１１を、下部側にベース部１３を備えたロッド部１２を備えて構成してある。
こハンガー本体部１０を構成する引っ掛け部１１は前面と背面とを備えた横向きに開口するフック板状のものとして構成してある。
そして、この引っ掛け部１１とロッド部１２及びベース部１３は、その前面を同面の面として構成してある。
【００３４】
また、該ロッド部１２の背面の中程よりも下方の位置から後方に向けて突き出された後に該ロッド部１２と平行をなすように下方に向けて延設されている下向きの弾性片４０’と、前記ベース部１３の上端位置から後方に向けて突き出された後に該ロッド部１２と平行をなすように上方に向けて延設される上向き弾性片４０”とが該ハンガー本体部１０に設けてあり、この各弾性片４０が突き出し片部４０ｂと平行片部４０ｃを備えた構成としてある。
【００３５】
そして該ハンガー本体部１０におけるロッド部１２は、その背面の両側縁部に沿って前記引っ掛け部１１の背面に連続するように一対のリブ１２ａが前記下向き弾性片４０’の突設位置に到るように設けてあり、このリブ１２ａ間が前記引っ掛け部１１の背面と同面の溝底をなす溝１２ｂとして構成してある。
また、このロッド部１２は前記リブ１２ａの下端位置から当該リブ１２ａの面と同面の背面を備えるように構成してあり、前記ベース部１３の背面が当該面と同面をなすように構成してある。
【００３６】
かかるベース部１３は、その上部側のほぼ中央部から前記ロッド部１２を突き出し状に備えるようにやや肉厚の状態に構成してあり、その背面側に適宜凹部１３ａを設けて当該ディスプレイ用ハンガーＡの軽量化とともに素材コストの削減を期すようにしてある。
【００３７】
かかるハンガー本体部１０に備えられる一対の弾性片４０は、その先端部をそれぞれ断面形状を円状とする膨状縁４０ａ’としてあり、この各先端４０ａが互いに近接した構成としてある。
かかる下向きの弾性片４０’と上向きの弾性片４０”とをロッド部１２に備えることによって、当該ロッド部１２と該対をなす弾性片４０とによって前記プラスチック製連結ピンＣの通る空間３１が当該ディスプレイ用ハンガーＡにもたらされる。
【００３８】
そして、一組の履物Ｂ相互を連結状態にセットする前記プラスチック製連結ピンＣを前記空間３１に位置づけた状態で、当該ディスプレイ用ハンガーＡのガイド材部２０に履き込み口Ｂｃから差し入れられている履物Ｂを当該ディスプレイ用ハンガーＡから抜け出す向きに向けて移動させ、または相対的に移動させた際に、当該プラスチック製連結ピンＣが前記空間３１を構成する弾性片４０によって構成される受け部３０に突き当たり、当該抜け出す向きに向けた移動を阻止し、履物Ｂがディスプレイ用ハンガーＡから抜けだし外れるのを防ぐ。
【００３９】
ついで、前記ガイド材部２０は、前記ハンガー本体部１０とともに履物Ｂを確実に支承し得る形態のものとして構成されており、この図示例にあっては、前記ハンガー本体部１０のベース部１３の両側部から上方に向けて延びるように備えられた板状のものとして構成してある。
【００４０】
かかるガイド材部２０は、更に詳細には、前記ベース部１３の前面に同面をなすように側方に連続されている前面を備え且つ幅側端に向けて漸次後方に向けて湾曲するベース板部２１と、このベース板部２１から前記ロッド部１２にほぼ平行をなすように延びている起立板部２２と、この起立板部２２に連続した湾曲板部２３とを備えており、この湾曲板部２３が、その先端を前記ロッド部１２よりも後方に位置づけられるように漸次後方に向けて捻られた構成としてあり、当該ガイド材部２０とロッド部１２との間に履物Ｂの甲被Ｂｂを該甲被Ｂｂにおける履き込み口Ｂｃ縁側から差し入れ得るようにしてある。
【００４１】
このように構成されたディスプレイ用ハンガーＡを用いて各種の履物Ｂ、例えば、履き込み口Ｂｃを備える各種の履物Ｂ、より典型的には、スリッパＢ’やサンダル等を陳列する手段として用いる。
【００４２】
この図示例にあっては、典型的なスリッパＢ’が示されている。
また、かかるスリッパＢ’を連結する手段として用いられているプラスチック製連結ピンＣは、対をなして用いられる一対のスリッパＢ’を当該対の状態で流通、販売に供し得るように当該対をなすスリッパＢ’相互を可撓性を備えたプラスチック製の線状体によって所定の範囲内で相互に移動し得るように連結してあり、この図示例にあっては、十分に撓む強靱なプラスチック材によって構成してある。
【００４３】
この図示例に係るプラスチック製連結ピンＣは、対をなすスリッパＢ’相互を連結するにたる十分な長さを有する線状部Ｃａと該線状部Ｃａの一端側に当該線状部Ｃａに直交する態様に備えられるやや太いロッド状部Ｃｃと、当該線状部Ｃａの他端側に備えられている該線状部Ｃａに対して直交する向きに長い板状部Ｃｂとを備えた構成としてあり、このロッド状部Ｃｃ側から互いに隣合わせの状態にした対をなす各スリッパＢ’における甲被Ｂｂを貫通するように挿通し、当該甲被Ｂｂを貫通した挿通先端側において前記ロッド状部Ｃｃを線状部Ｃａに直交するようにして抜け止めとなし、他端側にある板状部Ｃｂとの間で対をなすスリッパＢ’における各甲被Ｂｂ、Ｂｂを連結状態に維持し得るようにしてある。
【００４４】
かかる陳列に用いられるスリッパＢ’は、その出荷に際して当該ディスプレイ用ハンガーＡを備えたものとして用意される。
このスリッパＢ’とディスプレイ用ハンガーＡとの組付けは、図３に示されるようにスリッパＢ’の甲被Ｂｂを備えている側を手前に向け、且つ、ディスプレイ用ハンガーＡの前面側を手前に向けた状態で、当該スリッパＢ’の爪先側を上にして、当該ディスプレイ用ハンガーＡにおけるガイド材部２０がスリッパＢ’の履き込み口Ｂｃの内部に位置づけられるように、スリッパＢ’に対してガイド材部２０を入れ込むようにディスプレイ用ハンガーＡを移動し、または、ガイド材部２０を履き込み口Ｂｃから内部に受け入れるようにスリッパＢ’を移動してなされる。
【００４５】
また、スリッパＢ’相互を連結するプラスチック製連結ピンＣは、スリッパＢ’とディスプレイ用ハンガーＡ相互を組み付けた後に当該プラスチック製連結ピンＣが前記空間３１内に位置づけられるように各スリッパＢ’の各甲被Ｂｂを貫通するように設けてもよく、また、対をなすスリッパＢ’における各甲被Ｂｂを貫通するように設けて当該スリッパＢ’相互を連結状態にした後に、このスリッパＢ’相互を連結しているプラスチック製連結ピンＣを前記各弾性片４０間に備えられているスリット４１から前記空間３１内に導き入れるようにしてもよい。
【００４６】
かかるプラスチック製連結ピンＣをディスプレイ用ハンガーＡに備えられている一対の弾性片４０間のスリット４１から前記空間３１内に導き入れる場合、プラスチック製連結ピンＣを備えた一組のスリッパＢ’の履き込み口Ｂｃ側からディスプレイ用ハンガーＡを移動したり、ディスプレイ用ハンガーＡに対して履き込み口Ｂｃ側からスリッパＢ’を移動したり、スリッパＢ’とディスプレイ用ハンガーＡとを当該ディスプレイ用ハンガーＡにおけるガイド材部２０が履き込み口Ｂｃから甲被Ｂｂ内に位置づけられるように同時に移動するなど任意の方法で移動した際に、該プラスチック製連結ピンＣが前記弾性片４０をロッド部１２側に押すように移動され、スリット４１位置から当該プラスチック製連結ピンＣが空間３１内に入れ込まれる。
【００４７】
なお、この実施例にあって、前記プラスチック製連結ピンＣの受け部３０を構成するように当該プラスチック製連結ピンＣの入れ込まれる空間３１を構成する弾性片４０は、その先端を互いに突き合わせた状態に設けてあってもよく、この弾性片４０の弾性を利用して当該空間３１内に当該プラスチック製連結ピンＣを導き入れることができる。
【００４８】
また、この実施例にあっては、履物Ｂの典型例としてスリッパＢ’を図示しているが、スリッパＢ’以外にサンダルその他の履き込み口Ｂｃを備える各種の履物Ｂを同様に当該ディスプレイ用ハンガーＡを用いて支承した状態で陳列することができる。
【００４９】
このようにディスプレイ用ハンガーＡに組み付けられるスリッパＢ’は、例えば、当該ディスプレイ用ハンガーＡにおけるガイド材部２０における湾曲板部２３が当該スリッパＢ’のスリッパ底Ｂａの上面Ｂａ’に接触し、且つ、甲被Ｂｂの履き込み口Ｂｃ縁がロッド部１２と起立板部２２との間に挟まれるようにしながら当該間にあるベース部１３に当接された状態で当該ディスプレイ用ハンガーＡに対して所定角度で支承され、また、この状態において当該ディスプレイ用ハンガーＡにおける前記空間３１内に当該スリッパＢ’を連結するプラスチック製連結ピンＣが位置づけられるようにしてある。
【００５０】
このようにしてスリッパＢ’を備えたディスプレイ用ハンガーＡを、当該ディスプレイ用ハンガーＡにおけるハンガー本体部１０の引っ掛け部１１を引っ掛け手段Ｄに引っ掛けて当該スリッパＢ’の陳列をなす。
【００５１】
なお、前記ハンガー本体部１０のベース部１３の前面とガイド材部２０のベース板部２２の前面とにわたってやや凹んだ表示部１３ｂが設けてあり、スリッパの大きさや、材質や、値段等を適宜表示し得るようにしてある。
【００５２】
（実施例２）
ついで、図８〜図１１に示される当該発明を実施するための最良の形態に係るディスプレイ用ハンガーＡについて説明する。
この図８〜図１１に示されるディスプレイ用ハンガーＡは、上部に引っ掛け部１１を有するハンガー本体部１０と、このハンガー本体部１０の下部両側から上方に向けて突設されているガイド材部２０とを備えたディスプレイ用ハンガーＡであって、
前記ハンガー本体部１０には、履き込み口Ｂｃから前記ガイド材部２０を受け入れるようにして該ディスプレイ用ハンガーＡに支承される一組の履物Ｂを相互に連結するプラスチック製連結ピンＣが、当該ディスプレイ用ハンガーＡから抜け出す向きに向けた履物Ｂの移動または相対的な移動に際して引っかり得る受け部３０を設けてあることを特徴とするディスプレイ用ハンガーＡとしてあって、前記プラスチック製連結ピンＣの受け部３０を構成する弾性片４０をロッド部１２における前面側に設けた以外の構成を前記実施例１に示されるディスプレイ用ハンガーＡの構成と同一または実質的に同一の構成としてあり、同様にして用いられる。
【００５３】
従って、前記実施例１に示されるディスプレイ用ハンガーＡと同一または実質的に同一の構成部分については同一の番号を付して説明を省略する。
【００５４】
この実施例にかかるディスプレイ用ハンガーＡにあっては、ロッド部１２の背面側に備えられるリブ１２ａを引っ掛け部１１からベース部１３に到るように設けてあり、当該ロッド部１２における前面側の下部側に一対の弾性片４０を備えた構成としてある。
【００５５】
かかるロッド部１２に備えられる弾性片４０は、当該ロッド部１２における中央部より下方の位置から前方に向けて突き出された後下方に向けて延び設けられる当該ロッド部１２に平行な下向き弾性片４０’と、該ロッド部１２がベース部１３から突き出される位置から前方に向けて突き出された後上方に向けて延び設けられる当該ロッド部１２に平行な上向き弾性片４０”とを、当該各弾性片４０における先端４０ａを近接した状態、すなわち、当該各先端４０ａ、４０ａ間にスリット４１を備えた構成としてあり、当該各弾性片４０を突き出し片部４０ｂ及び平行片部４０ｃによって構成してある。
【００５６】
このように構成されるディスプレイ用ハンガーＡにあっては、前記ロッド部１２と前記一対の弾性片４０とによって前記プラスチック製連結ピンＣの挿通される空間３１を構成し、この空間３１を構成する当該弾性片４０が当該空間３１に挿通されているプラスチック製連結ピンＣの突き当たる受け部３０を構成する。
【００５７】
かかるディスプレイ用ハンガーＡは、このディスプレイ用ハンガーＡを構成するガイド材部２０をスリッパＢ’の履き込み口Ｂｃから当該スリッパＢ’内に位置づけるように当該スリッパＢ’に組み付けた状態で、各スリッパＢ’の隣り合っている各甲被を貫通させて取り付けられるプラスチック製連結ピンＣが当該弾性片４０によって構成される空間３１内に位置づけられるようにしてある。
【００５８】
この結果、当該ディスプレイ用ハンガーＡのガイド材部２０に履き込み口Ｂｃから差し入れられている履物Ｂを当該ディスプレイ用ハンガーＡから抜け出す向きに向けて移動させ、または相対的に移動させた際に、当該プラスチック製連結ピンＣが前記空間３１を構成する弾性片４０によって構成される受け部３０に突き当たり、当該抜け出す向きに向けた移動を阻止し、履物Ｂがディスプレイ用ハンガーＡから抜けだし外れる不具合を生ずることがない。
【００５９】
（実施例３）
ついで、図１２〜図１５に示される当該発明を実施するための最良の形態に係るディスプレイ用ハンガーＡについて説明する。
この図１２〜図１５に示されるディスプレイ用ハンガーＡは、上部に引っ掛け部１１を有するハンガー本体部１０と、このハンガー本体部１０の下部両側から上方に向けて突設されているガイド材部２０とを備えたディスプレイ用ハンガーＡであって、
前記ハンガー本体部１０には、履き込み口Ｂｃから前記ガイド材部２０を受け入れるようにして該ディスプレイ用ハンガーＡに支承される一組の履物Ｂを相互に連結するプラスチック製連結ピンＣが、当該ディスプレイ用ハンガーＡから抜け出す向きに向けた履物Ｂの移動または相対的な移動に際して引っかり得る受け部３０を設けてあることを特徴とするディスプレイ用ハンガーＡとしてあって、前記プラスチック製連結ピンＣの受け部３０を前記弾性片４０に代えて環状部構成片５０で構成した以外の構成を前記実施例１に示されるディスプレイ用ハンガーＡの構成と同一または実質的に同一の構成としてあり、同様にして用いられる。
【００６０】
従って、前記実施例１に示されるディスプレイ用ハンガーＡと同一または実質的に同一の構成部分については同一の番号を付して説明を省略する。
【００６１】
この実施例にかかるディスプレイ用ハンガーＡにあっては、ロッド部１２の背面側に備えられるリブ１２ａの下端部とロッド部１２の下端部との間にわたるように当該ロッド部１２とほぼ同幅の環状部構成片５０を設けるようにしたものであって、当該環状部構成片５０はそれぞれの端部をロッド部１２から後方に突き出し状に設けた後当該ロッド部１２に平行をなすように設けてあり、突き出し片部５０ａ、５０ａと平行片部５０ｂとを備えた構成としてある。
【００６２】
このように構成されるディスプレイ用ハンガーＡにあっては、前記ロッド部１２と前記環状部構成片５０とによって前記プラスチック製連結ピンＣの挿通される空間３１を構成し、この空間３１を構成する当該環状部構成片５０が当該空間３１に挿通されているプラスチック製連結ピンＣの突き当たる受け部３０を構成するようにしてある。
【００６３】
かかるディスプレイ用ハンガーＡは、このディスプレイ用ハンガーＡを構成するガイド材部２０をスリッパＢ’の履き込み口Ｂｃから当該スリッパＢ’内に位置づけるように当該スリッパＢ’に組み付けてあり、しかも、プラスチック製連結ピンＣを各スリッパＢ’の隣り合っている各甲被を貫通させて取り付ける際に当該環状部構成片５０によって構成される空間３１内を通るようにしてある。
【００６４】
この結果、当該ディスプレイ用ハンガーＡのガイド材部２０に履き込み口Ｂｃから差し入れられている履物Ｂを当該ディスプレイ用ハンガーＡから抜け出す向きに向けて移動させ、または相対的に移動させた際に、当該プラスチック製連結ピンＣが前記空間３１を構成する環状部構成片５０によって構成される受け部３０に突き当たり、当該抜け出す向きに向けた移動を阻止し、履物Ｂがディスプレイ用ハンガーＡから抜けだし外れる不具合を生ずることがない。
【００６５】
（実施例４）
ついで、図１６〜図１９に示される当該発明を実施するための最良の形態に係るディスプレイ用ハンガーＡについて説明する。
この図１６〜図１９に示されるディスプレイ用ハンガーＡは、上部に引っ掛け部１１を有するハンガー本体部１０と、このハンガー本体部１０の下部両側から上方に向けて突設されているガイド材部２０とを備えたディスプレイ用ハンガーＡであって、
前記ハンガー本体部１０には、履き込み口Ｂｃから前記ガイド材部２０を受け入れるようにして該ディスプレイ用ハンガーＡに支承される一組の履物Ｂを相互に連結するプラスチック製連結ピンＣが、当該ディスプレイ用ハンガーＡから抜け出す向きに向けた履物Ｂの移動または相対的な移動に際して引っかり得る受け部３０を設けてあることを特徴とするディスプレイ用ハンガーＡとしてあって、前記プラスチック製連結ピンＣの受け部３０を構成する環状部構成片５０をロッド部１２における前面側に設けた以外の構成を前記実施例３に示されるディスプレイ用ハンガーＡの構成と同一または実質的に同一の構成としてあり、同様にして用いられる。
【００６６】
従って、前記実施例３に示されるディスプレイ用ハンガーＡと同一または実質的に同一の構成部分については同一の番号を付して説明を省略する。
【００６７】
この実施例にかかるディスプレイ用ハンガーＡにあっては、ロッド部１２の背面側に備えられるリブ１２ａを引っ掛け部１１からベース部１３に到るように設けてあり、当該ロッド部１２における前面側の下部側に環状部構成片５０を備えた構成としてある。
【００６８】
かかるロッド部１２に備えられる環状部構成片５０は、ロッド部１２の前面側の中央部よりも下方にある位置とロッド部１２の下端部との間にわたるように当該ロッド部１２とほぼ同幅のものとして設けてあり、それぞれの端部をロッド部１２から前方に突き出させた突き出し片部５０ａ，５０ａと、この各突き出し片部５０ａ間にわたるように備えられたロッド部１２に平行な平行片部５０ｂとにより構成してある。
【００６９】
このように構成されるディスプレイ用ハンガーＡにあっては、前記ロッド部１２と前記環状部構成片５０とによって前記プラスチック製連結ピンＣの挿通される空間３１を構成し、この空間３１を構成する当該環状部構成片５０が当該空間３１に挿通されているプラスチック製連結ピンＣの突き当たる受け部３０を構成するようにしてある。
【００７０】
かかるディスプレイ用ハンガーＡは、このディスプレイ用ハンガーＡを構成するガイド材部２０をスリッパＢ’の履き込み口Ｂｃから当該スリッパＢ’内に位置づけるように当該スリッパＢ’に組み付けてあり、しかも、プラスチック製連結ピンＣを各スリッパＢ’の隣り合っている各甲被を貫通させて取り付ける際に当該環状部構成片５０によって構成される空間３１内を通るようにしてある。
【００７１】
この結果、当該ディスプレイ用ハンガーＡのガイド材部２０に履き込み口Ｂｃから差し入れられている履物Ｂを当該ディスプレイ用ハンガーＡから抜け出す向きに向けて移動させ、または相対的に移動させた際に、当該プラスチック製連結ピンＣが前記空間３１を構成する環状部構成片５０によって構成される受け部３０に突き当たり、当該抜け出す向きに向けた移動を阻止し、履物Ｂがディスプレイ用ハンガーＡから抜けだし外れる不具合を生ずることがない。
【００７２】
（実施例５）
ついで、図２０〜図２３に示される当該発明を実施するための最良の形態に係るディスプレイ用ハンガーＡについて説明する。
この図２０〜図２３に示されるディスプレイ用ハンガーＡは、上部に引っ掛け部１１を有するハンガー本体部１０と、このハンガー本体部１０の下部両側から上方に向けて突設されているガイド材部２０とを備えたディスプレイ用ハンガーＡであって、
前記ハンガー本体部１０には、履き込み口Ｂｃから前記ガイド材部２０を受け入れるようにして該ディスプレイ用ハンガーＡに支承される一組の履物Ｂを相互に連結するプラスチック製連結ピンＣが、当該ディスプレイ用ハンガーＡから抜け出す向きに向けた履物Ｂの移動または相対的な移動に際して引っかり得る受け部３０を設けてあることを特徴とするディスプレイ用ハンガーＡとしてあって、前記プラスチック製連結ピンＣの受け部３０を前記弾性片４０に代えて環状部１４で構成した以外の構成を前記実施例１に示されるディスプレイ用ハンガーＡの構成と同一または実質的に同一の構成としてあり、同様にして用いられる。
【００７３】
従って、前記実施例１に示されるディスプレイ用ハンガーＡと同一または実質的に同一の構成部分については同一の番号を付して説明を省略する。
【００７４】
この実施例にかかるディスプレイ用ハンガーＡにあっては、当該ロッド部１２における下部側を環状部１４として構成してあり、この環状部１４を除く当該ロッド部１２の背面側の引っ掛け部１１とベース部１３との間にリブ１２ａを設けた構成としてある。
【００７５】
このロッド部１２の下部側に備えられる環状部１４は、当該ロッド部１２を部分的に前面側板部１４ａと背面側板部１４ｂとに分岐し、しかも、当該ロッド部１２から互いに離れるように外向きに張り出す分岐部１４ａ’、１４ｂ’と互いに平行に向きあった平行部１４ａ’，１４ｂ’とを備えた構成としてあり、横向きにプラスチック製連結ピンＣの挿通される空間３１を備えた構成としてあり、この空間３１を備えた環状部１４がプラスチック製連結ピンＣの突き当たる受け部３０を構成するようにしてある。
【００７６】
かかるディスプレイ用ハンガーＡは、このディスプレイ用ハンガーＡを構成するガイド材部２０をスリッパＢ’の履き込み口Ｂｃから当該スリッパＢ’内に位置づけるように当該スリッパＢ’に組み付けてあり、しかも、プラスチック製連結ピンＣを各スリッパＢ’の隣り合っている各甲被を貫通させて取り付ける際に当該環状部１４によって構成される空間３１内を通るようにしてある。
【００７７】
この結果、当該ディスプレイ用ハンガーＡのガイド材部２０に履き込み口Ｂｃから差し入れられている履物Ｂを当該ディスプレイ用ハンガーＡから抜け出す向きに向けて移動させ、または相対的に移動させた際に、当該プラスチック製連結ピンＣが前記空間３１を構成する環状部１４によって構成される受け部３０に突き当たり、当該抜け出す向きに向けた移動を阻止し、履物Ｂがディスプレイ用ハンガーＡから抜けだし外れる不具合を生ずることがない。
【図面の簡単な説明】
【００７８】
【図１】典型的なディスプレイ用ハンガーを示す斜視図
【図２】同背面側から見た斜視図
【図３】同使用状態を一部断面して示す正面図
【図４】同使用状態を一部断面して示す背面図
【図５】同使用状態を側面から見た要部断面図
【図６】同履物を仮想線で示したディスプレイ用ハンガーの平面図
【図７】同履物を仮想線で示したディスプレイ用ハンガーの底面図
【図８】他の典型的なディスプレイ用ハンガーを示す斜視図
【図９】同背面側から見た斜視図
【図１０】同使用状態を一部断面して示す正面図
【図１１】同使用状態を側面から見た要部断面図
【図１２】更に他の典型的なディスプレイ用ハンガーを示す斜視図
【図１３】同背面側から見た斜視図
【図１４】同使用状態を一部断面して示す背面図
【図１５】同使用状態を側面から見た要部断面図
【図１６】更に他の典型的なディスプレイ用ハンガーを示す斜視図
【図１７】同背面側から見た斜視図
【図１８】同使用状態を一部断面して示す正面図
【図１９】同使用状態を側面から見た要部断面図
【図２０】更に他の典型的なディスプレイ用ハンガーを示す斜視図
【図２１】同背面側から見た斜視図
【図２２】同使用状態を一部断面して示す正面図
【図２３】同使用状態を側面から見た要部断面図
【符号の説明】
【００７９】
Ａ  ディスプレイ用ハンガー
Ｂ  履物
Ｃ  プラスチック製連結ピン
１０  ハンガー本体部
１１  引っ掛け部
２０  ガイド材部
３０  受け部
【図１】
2006122421.tif 000003
【図２】
2006122421.tif 000004
【図３】
2006122421.tif 000005
【図４】
2006122421.tif 000006
【図５】
2006122421.tif 000007
【図６】
2006122421.tif 000008
【図７】
2006122421.tif 000009
【図８】
2006122421.tif 000010
【図９】
2006122421.tif 000011
【図１０】
2006122421.tif 000012
【図１１】
2006122421.tif 000013
【図１２】
2006122421.tif 000014
【図１３】
2006122421.tif 000015
【図１４】
2006122421.tif 000016
【図１５】
2006122421.tif 000017
【図１６】
2006122421.tif 000018
【図１７】
2006122421.tif 000019
【図１８】
2006122421.tif 000020
【図１９】
2006122421.tif 000021
【図２０】
2006122421.tif 000022
【図２１】
2006122421.tif 000023
【図２２】
2006122421.tif 000024
【図２３】
2006122421.tif 000025